(57)【要約】【課題】釣竿用リールの優れた取り付け安定性を確保できる釣竿用リールの取り付け構造を提供する。【解決手段】環状体の周方向所定個所を、長さ方向他端から長さ方向一方側に向って漸次外側に大きく膨らむようにして被せフード４３を形成し、可動フード部１１を構成する。被せフード４３の内面を、釣竿用リールのリール脚部外端側の端面、表面及び両側面に対応する形状に形成し、この内面の幅方向両端部にそれぞれ、釣竿用リールのリール脚部を支える座部４７、４７を形成しておく。【選択図】    図３
2004337098.tif 000002
【特許請求の範囲】
【請求項１】
釣竿に固定して設けられた、挿入フードを有する固定フード部と、この固定フード部に対向して前記釣竿に配置され、かつ、前記釣竿に沿って移動できるように構成された、被せフードを有する可動フード部と、を備え、釣竿用リールの一方側リール脚部を前記固定フード部の前記挿入フード内に挿入し、かつ、前記可動フード部を前記釣竿に沿って移動させて、前記被せフードを釣竿用リールの他方側リール脚部に被せることにより、釣竿用リールを前記釣竿に固定する釣竿用リールの取り付け構造であって、
前記被せフードの内面の幅方向両端部には、釣竿用リールの他方側リール脚部を支える一対の座部が形成され、
前記可動フード部の前記被せフードは、前記一対の座部の座面が他方側リール脚部の幅方向両端部裏面を支えた状態で、この他方側リール脚部にきつく被せられ、釣竿用リールを前記釣竿に固定する、ことを特徴とする釣竿用リールの取り付け構造。
【請求項２】
前記可動フード部は、前記釣竿の外周に嵌められた環状体として形成されていて、
前記被せフードは、前記可動フード部の一部を外側に膨らませるようにして構成されている、ことを特徴とする請求項１記載の釣竿用リールの取り付け構造。
【請求項３】
釣竿用リールの他方側リール脚部は、前記釣竿の外周面に押し付けられたときに、幅方向両端部裏面が前記釣竿の外周面から離れているように構成されていて、
前記一対の座部は、前記座面の周方向位置が、前記釣竿の外周面に押し付けられた他方側リール脚部の幅方向両端部裏面の周方向位置とほぼ一致するように形成されている、ことを特徴とする請求項１又は２記載の釣竿用リールの取り付け構造。
【請求項４】
前記一対の座部は、前記被せフードを他方側リール脚部に被せるときに、前記釣竿の外周面に押し付けられた他方側リール脚部の外端と当接することなく、他方側リール脚部の幅方向両端部の裏側に入り込むように形成されている、ことを特徴とする請求項１又は２記載の釣竿用リールの取り付け構造。
【請求項５】
釣竿用リールのリール脚部に被せられる被せフードを有し、釣竿に沿って移動できるように形成されて釣竿に配置される可動フード体であって、
前記被せフードの内面の幅方向両端部には、釣竿用リールのリール脚部を支える一対の座部が形成され、
前記被せフードは、前記一対の座部の座面がリール脚部の幅方向両端部裏面を支えた状態で、このリール脚部にきつく被せられるように構成されている、ことを特徴とする釣竿用可動フード体。
【発明の詳細な説明】
【０００１】
【発明の属する技術分野】
本発明は、釣竿の外周面に釣竿用リールを固定して取り付けるための釣竿用リールの取り付け構造及びこの釣竿用リールの取り付け構造に用いられる釣竿用可動フード体に関する。
【０００２】
【従来の技術】
釣竿用リールを釣竿に取り付けるための取り付け構造としては、釣竿の竿尻側に固定フード部を設けるとともに、この固定フード部に対向して、釣竿の竿尻側に可動フード部を配置したものが用いられている。ここでは、釣竿用リールの一方側リール脚部を固定フード部の挿入フード内に挿入した状態で、可動フード部を釣竿に沿って固定フード部側に移動させ、可動フード部の被せフードを釣竿用リールの他方側リール脚部にきつく被せることにより、釣竿用リールのリール脚部を固定フード部と可動フード部とで長さ方向両側から挟んで釣竿用リールを釣竿に固定して取り付けることとなる。
【０００３】
可動フード部の被せフードは、釣竿の外周面（一般的には、釣竿の一部を構成するパイプシートの外周面）に直接押し付けられている釣竿用リールの他方側リール脚部に単にきつく被せられるように構成されることがある。しかしながら、このような構成の場合には、被せフードを釣竿用リールの他方側リール脚部にきつく被せたときに、他方側リール脚部が釣竿の外周面を沈むように変形させてしまうので、被せフードの他方側リール脚部に対する被せ程度の調整がむずかしい。すなわち、被せフードの被せ程度が不足していて、十分な締め付け力を他方側リール脚部に作用させることができなかったり、反対に、過大な押し付け力で被せフードを釣竿用リールの他方側リール脚部に被せてしまい、他方側リール脚部が被せフード内に食い込みすぎて、釣竿用リールを取り外すために可動フード部を後退させるときに、例えば可動フード部に取り付けられているスライド用ナットが可動フード部と無理やり分離されてしまったりするといった事態が生じやすい。
【０００４】
そこで、底部を形成して被せフードを袋状に形成した可動フード部も用いられている（例えば特許文献１参照）。可動フード部をこのように構成すれば、他方側リール脚部の外端部が、被せフード内の先端部と当接するまで、被せフードを他方側リール脚部に被せることにより、他方側リール脚部の適度な固定状態を確保することができることとなる。
【０００５】
【特許文献１】
実公平３−１３１８６号公報（第２頁、図３）
【０００６】
【発明が解決しようとする課題】
しかしながら、被せフードに底部を形成すると、被せフードを被せるときに、他方側リール脚部の外端又は外端部の幅方向両端部が被せフード内の先端側の幅方向両端部に当接しても、底部が変形規制部として機能するので、被せフードの幅方向両端部が押し広げられにくくなってしまう。そうすると、可動フード部が、幅方向（他方側リール脚部の幅方向）につぶれるように変形し、その結果、可動フード部が、他方側リール脚部と釣竿とを締め付ける、といったことが期待できないので、釣竿用リールの高い取り付け安定性を確保することがむずかしい。また、他方側リール脚部の外端側が被せフードの天井部内面を押して、被せフードの天井部を外側に膨らむように変形させても、底部に規制されて可動フード部の幅方向両端部が他方側リール脚部の外端側の幅方向両端部に強く密着しにくいので、この点でも、釣竿用リールの高い取り付け安定性の確保が困難であり、引きの強い魚がかかるなど釣竿用リールに強い力が加わったときに、釣竿用リールの取り付けにガタが生じる可能性がある。
【０００７】
そこで本発明は、釣竿用リールの優れた取り付け安定性を確保できる釣竿用リールの取り付け構造及びこの釣竿用リールの取り付け構造に用いられる釣竿用可動フード体を提供することを目的とする。
【０００８】
【課題を解決するための手段】
この目的を達成するための本発明の釣竿用リールの取り付け構造は、釣竿に固定して設けられた、挿入フードを有する固定フード部と、この固定フード部に対向して前記釣竿に配置され、かつ、前記釣竿に沿って移動できるように構成された、被せフードを有する可動フード部と、を備え、釣竿用リールの一方側リール脚部を前記固定フード部の前記挿入フード内に挿入し、かつ、前記可動フード部を前記釣竿に沿って移動させて、前記被せフードを釣竿用リールの他方側リール脚部に被せることにより、釣竿用リールを前記釣竿に固定する釣竿用リールの取り付け構造であって、前記被せフードの内面の幅方向両端部には、釣竿用リールの他方側リール脚部を支える一対の座部が形成され、前記可動フード部の前記被せフードは、前記一対の座部の座面が他方側リール脚部の幅方向両端部裏面を支えた状態で、この他方側リール脚部にきつく被せられ、釣竿用リールを前記釣竿に固定するものである。釣竿用リールの他方側リール脚部は、被せフードの一対の座部の座面によって支持される。したがって、被せフードを被せるときに、他方側リール脚部が釣竿の外周面に強く押し付けられ、釣竿の外周面を沈むように変形させてしまうといったことが防止される。また、座部は、被せフードの内面の幅方向両端部に分離して設けられているので、被せフードの幅方向両端部が押し広げられ、可動フード部が釣竿を締め付けるとともに、被せフードが他方側リール脚部を締め付けることや、被せフードの幅方向両端部が他方側リール脚部の幅方向両端部に強く密着することに対する障害とはならない。座部はまた、釣竿用リールの他方側リール脚部の周方向のずれを防止する。
【０００９】
可動フード部は、釣竿の外周に嵌められた環状体として形成することができ、被せフードは、可動フード部の一部を外側に膨らませるようにして構成することが可能である。
【００１０】
釣竿用リールの他方側リール脚部は、釣竿の外周面に押し付けられたときに、幅方向両端部裏面が釣竿の外周面から離れているように構成される場合が多い。すなわち、釣竿用リールの他方側リール脚部は、釣竿の外周面に押し付けられたときに、幅方向両端部裏面が釣竿の外周面に密着しないように構成されている場合が多い。このような釣竿用リールを取り付け対象とするときには、一対の座部を、座面の周方向位置が、釣竿の外周面に押し付けられた他方側リール脚部の幅方向両端部裏面の周方向位置とほぼ一致するように形成しておくことが得策である。あるいは、一対の座部を、被せフードを他方側リール脚部に被せるときに、他方側リール脚部の外端と当接することなく、他方側リール脚部の幅方向両端部の裏側に入り込むように形成しておく。このように構成すれば、例えば、釣竿用リールの他方側リール脚部の外端側を釣竿の外周面から多少持ち上げるようにしながら可動フード部をスライドさせ、被せフード内に釣竿用リールの他方側リール脚部の外端側又は外端部を入り込ませてから、被せフードを他方側リール脚部にきつく被せるといった面倒な取り付け作業を行う必要はなくなる。しかも、釣竿用リールの他方側リール脚部を、釣竿の外周面から浮き上がらせて釣竿に固定する場合と異なり、被せフードの膨らみ程度を大きくする必要がないので、釣竿の把持部分が大径となり、その結果、釣竿を把持するときにつかれやすくなってしまうといった不都合も防止できる。ここでは、釣竿用リールの他方側リール脚部が入り込んで被せフードの幅方向両端部を押し広げることにより、あるいは、被せフードを外側に膨らむように変形させることにより、座部が多少引き上げられ、あるいは引き上がり気味となり、その結果、座部の座面が、他方側リール脚部の幅方向両端部の裏面を支えることとなる。他方側リール脚部の幅方向中間部、例えば幅方向中間部の幅方向両側は釣竿の外周面によって支えられる。
【００１１】
また、本発明の可動フード体は、釣竿用リールのリール脚部（他方側リール脚部）に被せられる被せフードを有し、釣竿に沿って移動できるように形成されて釣竿に配置される可動フード体であって、前記被せフードの内面の幅方向両端部には、釣竿用リールのリール脚部を支える一対の座部が形成され、前記被せフードは、前記一対の座部の座面がリール脚部の幅方向両端部裏面を支えた状態で、このリール脚部にきつく被せられるように構成されているものである。
【００１２】
【発明の実施の形態】
以下、本発明の実施の形態を図面を参照して説明する。
【００１３】
図１は本発明に係る釣竿用リールの取り付け構造を有するパイプシートの斜視図、図２はパイプシートの底面図、図３は可動フード部の側面図、第４は可動フード体の断面図である。
【００１４】
パイプシート１は、プラスチック製の筒状体として形成され、長さ方向一端部又は竿先側端部の外周に固定フード部３を備え、長さ方向他端又は竿尻側端からほぼ長さ方向中央にかけての外周面に雄ネジ部５が設けられているものであり、外周面の長さ方向一端部から長さ方向他端まで一直線状に延びるスライド案内溝７を有している。雄ネジ部５には、可動フード体９（釣竿用可動フード体）が、長さ方向に進退移動できるように取り付けられていて、この可動フード体９は、固定フード部３と対向して雄ネジ部５上をスライド移動できるように形成された可動フード部１１と、可動フード部１１に回転可能に接続されて雄ネジ部５にネジ付けられたスライド用ナット１３と、から構成されている。
【００１５】
固定フード部３は、環状のプラスチック製固定フード部材１５と、この固定フード部材１５の外周に嵌め付けられた環状の金属製補強環１７と、から構成され、固定フード部材１５の外周面の長さ方向一端及び長さ方向他端にはそれぞれ、外側に僅かに突出する環状突出部１９、２１が一体的に形成されていて、補強環１７は、環状突出部１９、２１間に位置して長さ方向に位置決めされた状態で、固定フード部材１５の外周面に全体的に密着して嵌め付けられている。補強環１７には係合孔２３が設けられていて、この係合孔２３には、固定フード部材１５の外周面に一体的に形成されている係合突出部２５が隙間なく嵌り込んでいる。したがって、補強環１７は、長さ方向及び周方向に固定された状態で固定フード部材１５に取り付けられていることとなる。
【００１６】
固定フード部材１５は、パイプシート１の長さ方向一端部の外径とほぼ等しい内径を有する環状体の周方向所定個所を、長さ方向一端部から長さ方向他方側に向って漸次外側に大きく膨らむようにして挿入フード２７を形成することにより構成されていて、挿入フード２７の長さ方向他端には挿入口２９が設けられている。挿入フード２７は、例えば、釣竿用リールのリール脚部外端側の端面（外端面）、表面及び両側面に対応する形状の内面を有して、パイプシート１の長さ方向一端部の外周面との間に、釣竿用リールのリール脚部外端側を挿入するための、挿入口２９から漸次先細るような挿入スペースを形成するように構成されている。
【００１７】
このような構成の固定フード部３は、固定フード部材１５の長さ方向一端がパイプシート１の長さ方向一端と一致する状態で、例えば接着剤を用いて、パイプシート１の長さ方向一端部の外周面に固定されている。
【００１８】
可動フード体９の可動フード部１１は、環状のプラスチック製可動フード部材３１と、この可動フード部材３１の外周に嵌め付けられた環状の金属製補強連結環３３と、から構成され、可動フード部材３１の外周面の長さ方向一端には、外側に僅かに突出する環状突出部３５が一体的に形成されていて、補強連結環３３は、長さ方向一端が環状突出部３５に当接した状態で、可動フード部材３１の外周面に密着して嵌め付けられている。補強連結環３３には係合孔３７が設けられていて、この係合孔３７には、可動フード部１１又は可動フード部材３１の外周面に一体的に形成されている係合突出部３９が隙間なく嵌り込んでいる。したがって、補強連結環３３は、長さ方向及び周方向に固定された状態で可動フード部１１又は可動フード部材３１に嵌め付けられていることとなる。補強連結環３３は、可動フード部１１又は可動フード部材３１の長さ方向他端から長さ方向他方側に僅かに突出し、長さ方向他端に、折り曲げ形成された環状の内向き突出部４１を一体的に備えていて、可動フード部１１又は可動フード部材３１の長さ方向他端から突出する部分を除いて、可動フード部材３１の外周面に全体的に密着して嵌め付けられている。
【００１９】
可動フード部１１又は可動フード部材３１は、パイプシート１の雄ネジ部５の外径とほぼ等しい内径を有する環状体の周方向所定個所を、長さ方向他端から長さ方向一方側に向って漸次外側に大きく膨らむようにして被せフード４３を形成することにより構成されていて、被せフード４３の長さ方向一端には、固定フード部３の挿入口２９と対向して被せ口４５が設けられている。被せフード４３は、釣竿用リールのリール脚部外端側の端面（外端面）、表面及び両側面に対応する形状の内面を有して、パイプシート１の雄ネジ部５の外周面上に配置された釣竿用リールのリール脚部外端側にきつく被さるように構成されている。被せフード４３の内面の幅方向両端部にはそれぞれ、内側に僅かに突出する座部４７、４７が形成されていて、この座部４７の座面４９は、釣竿用リールのリール脚部外端側の裏面に対応するように、釣竿用リールのリール脚部とほぼ平行にあるいは釣竿用リールのリール脚部の幅方向に広がり、被せフード４３の被せ口４５付近から漸次突出量を減少させながら、被せフード４３の長さ方向中央を越えた位置まで延びて消滅している。すなわち、座部４７、４７又は座面４９、４９の内端同士は平行に延びていて、パイプシート１の雄ネジ部５の外周に沿うように形成されている。なお、可動フード部１１又は可動フード部材３１の内面の被せフード４３と対向する位置には、パイプシート１のスライド案内溝７にスライド可能に嵌り込む周方向ずれ防止突条５１が一体的に形成されている。
【００２０】
可動フード体９のスライド用ナット１３は、プラスチック製の環状体として形成され、内周面にパイプシート１の雄ネジ部５にネジ付けられた雌ネジ５３を有し、外周面には長さ方向に延びるローレット５５が刻まれていて、長さ方向一端部の外周に連結用環状溝５７を備えている。連結用環状溝５７には、補強連結環３３の内向き突出部４１が相対的に回転可能に嵌り込んでいて、スライド用ナット１３は、連結用環状溝５７と内向き突出部４１との係合により、可動フード部１１に回転可能に連結されている。
【００２１】
なお、固定フード部材１５の挿入フード２７も、被せフード４３と同様に、内面の幅方向両端部にそれぞれ、内側に僅かに突出する座部を有し、この座部の座面が、釣竿用リールのリール脚部外端側の裏面に対応するように、釣竿用リールのリール脚部とほぼ平行にあるいは釣竿用リールのリール脚部の幅方向に広がるといったように構成してもよい。このように構成することにより、釣竿用リールのリール脚部の周方向のずれを効果的に防止できる。なお、挿入フード２７に設けられる座部は、被せフード４３に設けられる座部４７の位置的及び形状的特徴を備えることができる。
【００２２】
図５は釣竿用リールのリール脚部に可動フード部１１の被せフード４３を被せる場合を説明するための図、図６は釣竿用リールのリール脚部に可動フード部１１の被せフード４３を被せた状態を示す図である。
【００２３】
パイプシート１は、固定フード部３が竿先側に位置して釣竿の竿尻側に配置されることにより釣竿の一部を構成している。このようなパイプシート１に釣竿用リール５９を取り付けるには、まず、釣竿用リール５９の一方側リール脚部６１を、固定フード部３の挿入フード２７内に挿入口２９から挿入して、釣竿用リール５９の一方側リール脚部６１及び他方側リール脚部６３をパイプシート１上に載置する。次に、スライド用ナット１３を回転させて、可動フード体９を釣竿用リール５９の他方側リール脚部６３側に移動させ、可動フード部１１の被せフード４３を被せ口４５から他方側リール脚部６３に被せる。このとき、可動フード部１１は、周方向ずれ防止突条５１がパイプシート１のスライド案内溝７にスライド可能に嵌り込んでいることにより、周方向にずれることなく直線的に移動する。そして、被せフード４３の先端が、釣竿用リール５９の他方側リール脚部６３の外端にさしかかったときには、被せフード４３の座部４７の座面４９は、他方側リール脚部６３の、パイプシート１の雄ネジ部５から離れている幅方向両端部裏面側に入り込むように位置している。したがって、被せフード４３をスムーズに他方側リール脚部６３へ被せることができる。そして、可動フード体９をさらに他方側リール脚部６３側に移動させ、被せフード４３を他方側リール脚部６３に深く被せようとすると、被せフード４３の先端側の幅方向両端部が、他方側リール脚部６３の外端又は外端部の幅方向両端部に押されて押し広がるように変形し、この被せフード４３の変形にともなって、座部４７が多少引き上げられ、座面４９が他方側リール脚部６３の幅方向両端部裏面に押し付けられる。このようにして、他方側リール脚部６３の外端側が、パイプシート１の雄ネジ部５によってだけでなく、座部４７の座面４９によっても支持されることとなる。また、可動フード部１１がパイプシート１の雄ネジ部５と他方側リール脚部６３とを締め付けるので、可動フード部１１とパイプシート１との間のガタがなくなり、かつ、他方側リール脚部６３もパイプシート１に強固に固定されることとなる。可動フード体９を、より他方側リール脚部６３側に移動させ、被せフード４３を他方側リール脚部６３にさらに深く被せると、被せフード４３の天井部が、他方側リール脚部６３の外端側の表面に押されて外側に膨らむように変形し、この被せフード４３の変形にともなって、座部４７の座面４９が他方側リール脚部６３の幅方向両端部裏面にさらに強く押し付けられる。そして、被せフード４３の座部４７の座面４９と内面との境界個所が他方側リール脚部６３の幅方向両端部に強く密着することとなり、他方側リール脚部６３の幅方向のガタがなくなる。このようにして、被せフード４３を他方側リール脚部６３にきつく被せて釣竿用リール５９の取り付けを完了する。
【００２４】
【発明の効果】
以上説明したように、本発明によれば、被せフードを釣竿用リールのリール脚部に効果的に密着あるいは強く密着させることができ、その結果、釣竿用リールのリール脚部をガタが生じないように固定することが可能な釣竿用リールの取り付け構造を提供できる。
【００２５】
また、本発明によれば、被せフードを釣竿用リールのリール脚部に効果的に密着あるいは強く密着させることができ、その結果、釣竿用リールのリール脚部をガタが生じないように固定することが可能な釣竿用可動フード体を提供できる。
【図面の簡単な説明】
【図１】本発明に係る釣竿用リールの取り付け構造を有するパイプシートの斜視図である。
【図２】パイプシートの底面図である。
【図３】可動フード部の側面図である。
【図４】可動フード体の断面図である。
【図５】釣竿用リールのリール脚部に可動フード部の被せフードを被せる場合を説明するための図である。
【図６】釣竿用リールのリール脚部に可動フード部の被せフードを被せた状態を示す図である。
【符号の簡単な説明】
３              固定フード部
９              可動フード体（釣竿用可動フード体）
１１            可動フード部
２７            挿入フード
４３            被せフード
４７            座部
４９            座面
５９            釣竿用リール
６１            一方側リール脚部
６３            他方側リール脚部
【図１】
2004337098.tif 000003
【図２】
2004337098.tif 000004
【図３】
2004337098.tif 000005
【図４】
2004337098.tif 000006
【図５】
2004337098.tif 000007
【図６】
2004337098.tif 000008